【手続補正書】
【提出日】平成30年8月16日(2018.8.16)
【手続補正１】
【補正対象書類名】特許請求の範囲
【補正対象項目名】全文
【補正方法】変更
【補正の内容】
【特許請求の範囲】
【請求項１】
テープと共に使用されるテープドライブであって、
前記テープに対して読出しおよび/または書込み動作を行なうためのヘッドと、
前記テープと協動可能であり、前記テープドライブのテープパスに沿って前記テープを移動するためのドライブリーダと、
前記テープを巻き戻すための巻戻し機構と、を備え、
前記ドライブリーダおよび/またはカートリッジリーダは、前記ヘッドから離して前記テープに取り付けられて前記ドライブリーダの少なくとも一部を前記ヘッドに接触することなく前記ヘッドのそばを通過させ、
前記巻戻し機構は、前記テープ、前記カートリッジリーダ、および/または前記ドライブリーダと係合可能な可動ピンを含み、
前記可動ピンは、前記ヘッド近傍の第１の位置から第１の位置よりも前記ヘッドから離れて配置された第２の位置へと移動可能である、テープドライブ。
【請求項２】
前記巻戻し機構は、前記ヘッドによる前記テープの動きを容易にするためのテープスタビライザを含むテープスタビライザ配列をさらに含み、前記可動ピンは前記スタビライザ配列によって支持されている、請求項１に記載のテープドライブ。
【請求項３】
前記ドライブリーダが前記ヘッドと前記テープスタビライザとの間に配置されているときに、前記可動ピンおよび前記テープスタビライザは前記ドライブリーダの両側に位置することが可能である、請求項２に記載のテープドライブ。
【請求項４】
前記巻戻し機構は、前記テープスタビライザ配列に対応付けられたリンクと、前記テープスタビライザ配列を移動するように前記リンクを移動するためのモーターとをさらに含む、請求項２または３に記載のテープドライブ。
【請求項５】
前記リンクと前記モーターとの間に配設される主ねじをさらに備え、前記モーターは前記主ねじを回転させて前記リンクを移動するように動作可能である、請求項４に記載のテープドライブ。
【請求項６】
前記リンクは、前記テープスタビライザ配列を摺動可能に収容するスロットを含む、請求項５に記載のテープドライブ。
【請求項７】
テープと共に使用されるテープドライブであって、
前記テープに対する読出しおよび/または書込み動作を行なうための第１のヘッドおよび第２のヘッドと、
前記テープと協動可能であり、前記ドライブのテープパスに沿って前記テープを移動するためのドライブリーダと、
前記第１のヘッドおよび前記第２のヘッドによる前記テープの動きをそれぞれ容易にするための第１のテープスタビライザおよび第２のテープスタビライザと、
前記第１のテープスタビライザおよび前記第２のテープスタビライザを異なる方向にそれぞれ前記第１のヘッドおよび前記第２のヘッドから同時に遠ざけて、前記ドライブリーダの少なくとも一部を前記第１のヘッドおよび前記第２のヘッドに接触することなく前記テープスタビライザと前記第１のヘッドおよび前記第２のヘッドとの間で通すための巻戻し機構と、
を備えるテープドライブ。
【請求項８】
前記巻戻し機構は、前記第１のテープスタビライザおよび前記第２のテープスタビライザに対応付けられたリンクと、前記テープスタビライザを移動するように前記リンクを移動するためのモーターとを含む、請求項７に記載のテープドライブ。
【請求項９】
前記リンクはタイバーを含む、請求項８に記載のテープドライブ。
【請求項１０】
前記第１のヘッドおよび前記第２のヘッドを支持するためのドライブ本体をさらに備え、前記リンクは前記ドライブ本体に対して旋回可能および平行移動可能である、請求項８または９に記載のテープドライブ。
【請求項１１】
前記リンクと前記モーターとの間に配設される主ねじをさらに備え、前記モーターは前記主ねじを回転させて前記リンクを移動するように動作可能である、請求項８〜１０のいずれかに記載のテープドライブ。
【請求項１２】
前記巻戻し機構は、前記第１のテープスタビライザおよび前記第２のテープスタビライザをそれぞれ支持する第１の移動可能なスタビライザマウントおよび第２の移動可能なスタビライザマウントをさらに含み、前記リンクは前記スタビライザマウントに接続されている、請求項８〜１１のいずれかに記載のテープドライブ。
【請求項１３】
前記リンクは、前記第１のスタビライザマウントおよび前記第２のスタビライザマウントをそれぞれ摺動可能に収容する第１のスロットおよび第２のスロットを含む、請求項１２に記載のテープドライブ。
【請求項１４】
前記第１のヘッドおよび前記第２のヘッドを支持するためのドライブ本体をさらに備え、前記ドライブ本体は、前記第１のスタビライザマウントおよび前記第２のスタビライザマウントとそれぞれ係合可能であり、前記スタビライザマウントの動きを案内するための第１のガイドスロットおよび第２のガイドスロットを含む、請求項１２または１３に記載のテープドライブ。
【請求項１５】
前記ドライブ本体は、前記第１のスタビライザマウントおよび前記第２のスタビライザマウントとそれぞれ係合可能であり、前記スタビライザマウントの動きを案内するための第３のガイドスロットおよび第４のガイドスロットをさらに含み、前記第３のガイドスロットおよび前記第４のガイドスロットは、それぞれ前記第１のガイドスロットおよび前記第２のガイドスロットから間隔を置いて並べられている、請求項１４に記載のテープドライブ。
【請求項１６】
前記巻戻し機構は、それぞれ前記第１のスタビライザマウントおよび前記第２のスタビライザマウントに支持されて前記第１のスタビライザマウントおよび前記第２のスタビライザマウントと共に移動可能な第１の係合部材および第２の係合部材をさらに含み、前記第１の係合部材および前記第２の係合部材は、前記第１のテープスタビライザおよび前記第２のテープスタビライザがそれぞれ前記第１のヘッドおよび前記第２のヘッドから遠ざけられて前記ドライブリーダの少なくとも一部を前記第１のヘッドおよび前記第２のヘッドと接触することなく前記第１のヘッドおよび前記第２のヘッドのそばを通過させる時に、前記テープおよび/またはドライブリーダを前記第１のヘッドおよび前記第２のヘッドから遠ざけるために、前記テープおよび/またはドライブリーダと係合可能である、請求項１２〜１５のいずれかに記載のテープドライブ。
【請求項１７】
前記第１の係合部材および前記第２の係合部材はピンとして形成されている、請求項１６に記載のテープドライブ。
【請求項１８】
前記ドライブリーダが前記第１のヘッドと前記第１のテープスタビライザとの間に位置している時に、前記第１の係合部材および前記第１のテープスタビライザは前記ドライブリーダの両側に位置することが可能である、請求項１６または１７に記載のテープドライブ。
【請求項１９】
テープパスを通じてテープリーダの接続場所を通過させるための方法であって、
第１のテープスタビライザおよび第２のテープスタビライザを別の方向にそれぞれ第１のヘッドおよび第２のヘッドから同時に遠ざけて、前記テープリーダの前記接続場所が前記第１のヘッドおよび前記第２のヘッドに接触することなく前記第１のヘッドおよび前記第２のヘッドを通り越して移動できるように、前記スタビライザと前記第１のヘッドおよび前記第２のヘッドとの間に十分な間隔を空けることを備える、方法。
【請求項２０】
前記テープリーダは前記接続場所でカートリッジリーダに取り付け可能であり、前記方法は、前記テープリーダおよび/または前記カートリッジリーダを係合部材と係合させ、前記係合部材を前記第１のヘッドおよび前記第２のヘッドのうちの１つのヘッドから遠ざけて前記テープリーダの少なくとも一部を前記１つのヘッドから遠ざけることをさらに備える、請求項１９に記載の方法。